(57)【要約】      （修正有）【課題】毛先が歯間の隙間に容易に入り易くなり、歯垢除去が期待できることにより、その効果として、歯周病及び歯肉炎予防効果や、歯茎等のマッサージ効果も期待可能な多角形歯ブラシを提供する。【解決手段】柄部１３に設けた回転軸９にブラシ材１を,その回転軸挿入軸を嵌めて取り付け、かつ回転軸挿入軸の回転をガイドするガイド板を柄部１３に設けてなり、回転軸９と回転軸挿入軸とガイド板との間の摩擦抵抗を可変可能に、また、柄部１３に設けた回転軸９にブラシ材１をその回転軸挿通穴において取り付け、前記回転軸とブラシ材の回転軸挿通穴との間の摩擦抵抗を可変可能に構成したことを特徴とする歯ブラシ。【選択図】図１４
2012232050.tif 000002
【特許請求の範囲】
【請求項１】
柄部に設けた回転軸にブラシ材を,その回転軸挿入軸を嵌めて取り付け、かつ前記回転軸挿入軸の回転をガイドするガイド板を前記柄部に設けてなり、前記回転軸と回転軸挿入軸とガイド板との間の摩擦抵抗を可変可能に構成したことを特徴とする歯ブラシ。
【請求項２】
柄部に設けた回転軸にブラシ材１をその回転軸挿通穴において取り付け、前記回転軸とブラシ材の回転軸挿通穴との間の摩擦抵抗を可変可能に構成したことを特徴とする歯ブラシ。
【請求項３】
前記ブラシ材は回転軸挿入軸に異なる回転角度で取り付けられていることを特徴とする請求項2記載の歯ブラシ。
【請求項４】
前記ブラシ材は回転軸挿入軸に同一の回転角度で取り付けられていることを特徴する請求項2記載の歯ブラシ。
【発明の詳細な説明】
【技術分野】
【０００１】
本発明は、歯車形状及び多角形状の歯ブラシに関する。
【背景技術】
【０００２】
従来使用されている一般的な歯ブラシの場合は、毛先の形態、長さ、太さや硬さなどは異なるが、柄の頭部に垂直に植毛した歯ブラシや、また、前記垂直に植毛したブラシ部の毛先の表面を山形状に形成された歯ブラシ等は提供されている。
【０００３】
また、前記柄の頭部に垂直に植毛する歯ブラシではないが、円形状に設けられて回転する歯ブラシや、棒状の柄の頭部に垂直状に円形状のブラシ材を設けられている棒状の歯ブラシは提供されている。
【０００４】
また、前記円形状で３６０度回転する歯ブラシの場合は、歯磨き時ブラシ部と回転軸との間で殆ど摩擦抵抗が生じないため、ただ歯の表裏の表面を左右上下に移動しながら歯磨きする歯ブラシである。
【０００５】
さらに、円形状の歯ブラシの場合においては、円形状であるために回転時にブラシ部の毛先が歯間の隙間に入り難いという難点が有った。
【発明の開示】
【発明が解決しようとする課題】
【０００６】
以上述べたように従来の平ブラシや、棒状の歯ブラシ及び円形状で回転するよう設けられている歯ブラシの場合等は、歯の表裏の表面等を左右上下回転するだけであり、歯周病の原因とされる歯垢の付着しやすい歯間の隙間に毛先が入り難く、前記歯垢の除去効果の可能性には多少の疑問点が有った。
【０００７】
本発明は上記記載の,従来の歯ブラシの構成が有していた問題点を解決しようとするものである。
【課題を解決するための手段】
【０００８】
上記問題点を解決するために本発明の歯車形状及び多角形状の歯ブラシに付いて説明する。
【０００９】
柄部13に設けた回転軸9にブラシ材1を,その回転軸挿入軸8を嵌めて取り付け、かつ前記回転軸挿入軸８の回転をガイドするガイド板14を前記柄部13に設けてなり、前記回転軸9と回転軸挿入軸8とガイド板14との間の摩擦抵抗を可変可能に構成したことを特徴とする歯ブラシである。
【００１０】
また、柄部13に設けた回転軸9にブラシ材１をその回転軸挿通穴10において取り付け、前記回転軸9とブラシ材1の回転軸挿通穴10との間の摩擦抵抗を可変可能に構成したことを特徴とする歯ブラシである。
【００１１】
また、前記ブラシ材1を回転軸挿入軸8に異なる回転角度で取り付けられていることを特徴とする歯ブラシである
【００１２】
さらに、前記ブラシ材1を、回転軸9に取り付ける手段として、回転軸挿入軸8に同一の回転角度で取り付けられていることを特徴とする歯ブラシである。
【００１３】
図１から１１の歯車形状の歯ブラシに付いて説明する。柄部１３先端部１２左右に回転軸９を取り付けるための穴１０ａを設けた装着部１１と、さらに、前記左右の装着部１１の内側に回転軸挿入軸８の回転をカイドするためのガイド板１４を設けられている、そして、ブラシ部２を形成するブラシ材１の中心部に回転軸挿入軸８に取り付けるための多角形状の開口部７と、外周を歯車形状３に設けられているブラシ材１数枚を同一回転角度で取り付けて、前記回転軸挿入軸８の挿通穴１０に前記回転軸９を挿通して装着部１１の穴１０ａに取り付けて、前記回転軸9と回転軸挿入軸8とガイド板14との間の摩擦抵抗を可変可能に構成されている歯車形状３の歯ブラシである。
【００１４】
また、図１２から２０の多角形状の歯ブラシに付いて説明する。上記同様に柄部３先端部１２左右の装着部１１に、回転軸９取り付ける穴１２を設けており、そして、中心部に開口部７と、外周供に多角形状に設けられたブラシ材１を、前記回転軸挿通穴１０を設けられている回転軸挿入軸８に同一又は、異なる回転角度で前記ブラシ材１を取り付けて、前記回転軸９を挿通穴１０に挿通して、装着部の穴１０ａに取り付けられている歯ブラシであり、そして、前記回転軸9と回転軸挿入軸8、８ａと間の摩擦抵抗を可変可能に構成されている多角形状の歯ブラシである
【００１５】
また、歯磨き時、一定の摩擦抵抗が生じた場合に回転するよう設けることにより、使用時常に歯車形状及び多角形状を保持しながら歯の表裏表面は勿論のこと、前記歯車形状及び多角形状に設けられていることにより、毛先が歯間の隙間に入り易く歯茎のマッサージは勿論のこと、歯垢等の除去効果の可能を数段向上させるこができる歯ブラシである。
【００１６】
また、歯ブラシを使用して、歯の裏側を歯磨きする場合等は、ただ歯の表面を回転して歯磨きするだけではなく、ブラシ部を歯車形状や多角形状に設けることによる効果として、ブラシ部の先端部が歯間の隙間に入り易くなり、歯茎のマッサージは勿論のこと、歯垢等の除去効果を向上させることにより、歯石の予防効果が可能になり、その結果として歯周病等の予防に大いに貢献可能な歯車形状及び多角形状の歯ブラシである。
【００１７】
またさらに、ブラシ部２，２ａ２ｂを形成している数枚（数列）のブラシ材１中心部の開口部７と、回転軸挿入軸８を同形状に設けることにより、回転時、常に同形状を保持しながら回転するが、その一部のブラシ材１の開国部７を前記回転軸挿入軸８に取り付けたとき自在回転可能な開口部７に設けることにより、歯磨き時前記ブラシ部２，２ａ２ｂを形成する前記ブラシ材１の一部は、同形状を保持しながら回転し、かつ一部は自在回転可能に取り付けることも可能なブラシ材１である。
【００１８】
また、歯車形状３のブラシ部の形状は、適宜な形状に設ければよく、限定するものではなく、また、多角形状の前記ブラシ部も三角形以上の多角形状で有ればよく、限定されるものではない。
【００１９】
また、ブラシ材１の中心部に設けられている開口部７の形状も、回転軸挿入軸８の形状も、上述の作用に適した適宜な形状を設ければ良く限定されるものではない。
【００２０】
また、柄部１３先端部１２の装着部１１内側に設けられているガイド板１４の数も適宜に設ければ良く限定されるものではない。
【００２１】
また、ブラシ材１の材料等は、一般的なナイロン等を用いることが好ましいが限定されるものではない。
【００２２】
さらに、例えば、図１５に示されている四角状のブラシ材のように、他の多角形状のブラシ材１を異なる角度で回転軸挿入軸８に取り付けることにより、側面からの形状が歯車形状の歯ブラシを多種多様に設けることが可能である。
【発明の効果】
【００２３】
上述したように本発明の歯ブラシはブラシ部を歯車形状及び多角形状に形成された歯ブラシである。
【００２４】
従来の平ブラシや円形状の回転ブラシと異なり、前記歯ブラシのブラシ部を歯車形状や多角形状に設けることにより,歯磨き時にブラシ部の毛の先端部分が歯間の隙間に入りやすくなり、その効果として歯垢等の除去の効果が期待できる。
【００２５】
また、特に歯車形状や多角形状に設けられていることにより、歯間の隙間に接しやすく、歯周病等の原因とされている歯垢除去の可能性が向上することが大いに期待できる歯ブラシである。
【００２６】
さらに、回転軸と回転軸挿入軸と及びヮッシャー兼用に設けられているガイド板先端部との間の摩擦抵抗を可変可能にしたことにより、回転時、抵抗なく回転可能に設けることも可能であり、かつ一定の摩擦抵抗発生時に回転可能に設けることも可能な構造を有している。
【００２７】
また、簡単な手段でブラシ材を設けることがで、そのため歯ブラシ本体も安価で提供可能な歯車形状及び多角形状の歯ブラシである。
【００２８】
上記記載のように従来にない形状の歯車形状及び多角形状の歯ブラシであり、しかも、ブラシ材を取り付けられている回転軸挿入軸がガイド板や、回転軸の作用により可変可能に設けられていることにより、使用目的ごとに多種多様な歯ブラシ部の回転を可能することが可能であり、その結果前記ブラシ部の毛先が、歯面及び隙間に均等にブラシ部が当たり、磨き残しがなくなる歯ブラシである。
【００２９】
また、歯磨き時大抵の人の場合は、利き手で歯磨きをするために、持ち手を変える人は少なかったため、従来の歯ブラシでは、磨き残しが生じやすかつた。
【発明を実施するための最良の形態】
【００３０】
実施例に係る歯車形状及び多角形状の歯ブラシの実施形態について図１から図２０を参照してさらに詳細に説明する。なお、本発明の範囲は特許請求の範囲記載のものであって、以下の実施形態に限定されないことはいうまでもない。
【００３１】
以下，本発明の実施例１の図１から図１１に基づき説明する。
【００３２】
図１は、ブラシ材１の基と成る毛１６の中心部を針金15で円筒形状巻き取った状態を示す側面図である。
【００３３】
図２は、図１の針金１5で巻き取った円筒形状の毛１６の、A‐A’部分を切り取り,前記A‐A’部分を圧縮してたブラシ材１である。
【００３４】
図３は、図２の円筒形状に圧宿したブラシ材１のB‐B’方法を示す平面図であり、１５は中心部の針金である。
【００３５】
図４は、図３の圧縮したブラシ材１の中心部部分を超音波溶着６した状態を示しており、１５は針金である。
【００３６】
図５は、図４の中心部を超音波溶接６したブラシ材１の中心部分に六角形状５ａの開口部７と、外周を歯車形状３に設けられているブラシ材１である。
【００３７】
図６は、図７の回転軸９挿通穴１０を設けた六角柱形状５ｂの回転軸挿入軸８であり、図５で説明したブラシ材１を前記回転軸挿入軸８に取り付けて、前記挿通穴１０に前記回転軸９を挿通して、図８の柄部１３先端部１２装着部１１の穴１０ａに取り付けられる回転軸挿入軸８である。
【００３８】
図７は、図６の回転軸挿入軸８に設けられている挿通穴１０に挿通させて図８の柄部１３先端部１２に設けられている装着部１１の穴１０ａに取り付けられる回転軸９である。
【００３９】
図８は、図６の回転軸挿入軸８に図５のブラシ材１を取り付けて、そして、回転軸８を前記回転軸挿入軸８の挿通穴１０に挿通して、柄部１３先端部１２左右の装着部１１の穴１０ａに取り付けられている。６は、溶着部であり、３は、歯車形状のブラシ材１であり、また、２はブラシ部である。
【００４０】
図９は、図８のC‐C’部分の横中央断面拡大図である。また、図１０の中央上下方向の断面図でもある、１４は、柄部１３先端部１２左右の装着部１１内側に設けられて、回転軸挿入軸８の回転をガイドするガイド板である、また、２は、３の歯車形状のブラシ材１で形成されているブラシ部であり、そして、開口部７を設けたブラシ材１を回転軸挿入軸８に取り付けられている、また、９は、前記回転軸挿入軸８の挿通穴１０に挿通した回転軸であり、６は、溶着部６、１２ａは、ガイド板１４の先端部である。
【００４１】
図１０は、図８の柄部１３の先端部１２、D‐D’方法を示す正面拡大図である。柄部１３先端部１２に図１１の断面図に示されている通り、左右装着部１１の穴に、回転軸挿入軸８に取り付けられたブラシ材１を、前記装着部１１の内側に設けられているガイド板１４との間にブラシ材１を設けてブラシ部２を形成されている歯車形状の歯ブラシである。
【００４２】
図１１は、図８のE‐E’方向中央断面拡大図である。前記図８，９で説明したとおり、回転軸挿入軸８にブラシ材１取り付け、そして、柄部１３先端部１２左右の装着部１１の内側に設けられているガイド板１４との間にブラシ材１で形成されたブラシ部２を、回転軸９で前記装着部１１の穴１０ａに取り付けられている歯ブラシである。柄部13に設けた回転軸9にブラシ材1を,その回転軸挿入軸８を嵌めて取り付け、かつ前記回転軸挿入軸８の回転をガイドするガイド板14を前記柄部13に設けてなり、前記回転軸9と回転軸挿入軸８とガイド板14との間の摩擦抵抗を可変可能に構成したことを特徴とする歯ブラシである。
【００４３】
本発明の実施例２に付いて図１２か１７までに付いて説明する。
【００４４】
図１２は、図４に示されているブラシ材１の中心部を超音波溶着６して、さらに、前記中心部に六角形状の開口部７と、外周を四角形状４に設けられているブラシ材１である、
【００４５】
図１３は、前記図１２に示されている四角形状４に設けられているブラシ材１を回転軸挿入軸８に異なる回転角度で取り付けた状態を示している。６は、溶着部であり、７は、開口部であり、そして、９は回転軸である。
【００４６】
図１４は、前記図１３で説明した通り、回転軸挿入軸に取り付けた四角形状４のブラシ材１を前記回転軸挿入軸に異なる回転角度交互に取り付けて、柄部１３先端部１２装着部１１の穴１０ａに回転軸９を取り付けてブラシ部２ａを形成しており、側面からは歯車形状に表れている多角形状の歯ブラシである。６は、溶着部である。
【００４７】
図１５は、図１４のF‐F’部分の横中央断面拡大図である。前記図１３で説明した通り、四角形状４のブラシ材１を回転軸挿入軸８に異なる角度で交互に取り付けられている、そのため側面の形状は歯車形状に表れている多角形状の歯ブラシである。また、柄部13に設けた回転軸9にブラシ材１をその回転軸挿通穴10において取り付け、前記回転軸9とブラシ材1の回転軸挿通穴10ａとの間の摩擦抵抗を可変可能に構成した歯ブラシである、また、１２は柄部１３先端部であり、６は、溶着部、７は、開口部であり、そして、２ａは、ブラシ部である。
【００４８】
図１６は、図１４のG‐G’方向の正面図拡大である。図１７断面図で示されている通り、ブラシ材１を回転軸挿入軸８に取り付けて、前記回転軸挿入軸８の挿通穴１０に回転軸９を挿通して、柄部１３先端部１２左右の装着部１１の穴１０ａに回転軸８を取り付けられている。また、２ａはブラシ部であり、２ｂは、同形状に表れる実施例３の、図１９のK‐K’方向正面図のブラシ部を示している。
【００４９】
図１７は、図１４のH‐H’方向を示す断面拡大図である。回転軸挿入軸８にブラシ材１を取り付けて前記回転軸挿入軸８の挿通穴１０に回転軸９を挿通して、柄部１３先端部１２左右の装着部１１の穴１０ａに回転軸９を取り付けて、前記ブラシ材１でブラシ部２ａを形成されている。尚、２ｂは、同形状に表れる実施例３の、図１９のL‐L’方向断面図のブラシ部を示している。
【００５０】
本発明の実施例３に付いて図１８から図２０に付いて説明する。
【００５１】
図１８は、六角形状５に設けられているブラシ材１を同一の回転角度で回転軸挿入軸８に取り付けた状態を示している。６は、溶着部であり、７は、開口部であり、そして、９は回転軸であり、１０は、回転軸挿入軸８の挿通穴である。
【００５２】
図１９は、図１８で説明した回転軸挿入軸８にブラシ材１を取り付け、そして、回転軸挿入軸の挿通穴１０に回転軸９を挿通して、柄部１３先端部１２左右装着部１１の穴１０ａに取り付けられている。そして、柄部13に設けた回転軸9にブラシ材１をその回転軸挿通穴10ａにおいて取り付け、前記回転軸9とブラシ材1の回転軸挿通穴10との間の摩擦抵抗を可変可能に構成した歯ブラシである。そして、５は、六角形状のブラシ部である。
【００５３】
図２０は、図１９のJ‐J’部分の横中央断面拡大図である。図１８で説明されている通り、回転軸挿入軸８にブラシ材１の中央部に六角形状５ａに設けられている開口部７を取り付けている。そして、柄部１３に設けた回転軸９にブラシ材１をその回転軸挿通穴１０において取り付け、前記回転軸９とブラシ材1の回転軸挿通穴１０との間の摩擦抵抗を可変可能に構成した歯ブラシである。
【００５４】
図２１は、左端部の多角形状の回転軸挿入軸８には、図２３の回転軸８と、左端部円筒形状の回転軸挿入軸８の挿通穴１０を設けられている。そして、１８は、回転軸挿入軸８にブラシ材１を取り付けときの脱落防止用ストッパーである。参考斜視図である。
【００５５】
図２２は、左端部の円筒形状の回転軸挿入軸８には、図２３の回転軸８と、左端部も前記左端部と同形状の回転軸挿入軸８の挿通穴１０を設けられている。そして、１８は、回転軸挿入軸８にブラシ材１を取り付けときの脱落防止用ストッパーである。参考斜視図である。
【００５６】
図２３は、上記図２１及び図２２の回転軸挿入軸８の挿通穴１０挿通する回転軸９の斜視図である。
【００５７】
上記実施例１,２及び３で説明した通りガイド板と、回転軸と回転軸挿入軸との双方又は一方で、摩擦抵抗が可変可能に構成されている歯ブラシである。
【００５８】
上記記載の通り、柄部１３先端部１２内側に設けられているガイド板１５と回転軸挿入軸８及回転軸８との間の摩擦抵抗を可変可能に設けることにより各種の回転手段を得ることが可能な歯ブラシである。
【００５９】
従来の回転歯ブラシのように歯の表裏表面を回転する歯ブラシと異なり、ブラシ部２，２ａ２ｂの外周を歯車形状又は、多角形状に設けることにより、どのような角度で歯磨きしてもブラシ部先端部の毛先が歯の表裏の表面だけでなく、歯間の隙間に容易に入り易く、その効果として歯周病の原因のもとになる歯垢等の除去効果勿論、歯茎のマッサージ効果も期待可能な歯車形状の歯ブラシでり、歯の隙間に磨き残しもなくなる歯車形状及び多角形状の歯ブラシである。
【図面の簡単な説明】
【００６０】
本発明の実施例１の図１から図１１について説明する。
【図１】図１は、ブラシ部を構成する毛を針金で円形状に巻き取ったブラシ材の側面図である。
【図２】図２は、図１のA‐A’部分を切断して圧縮したブラシ材の側面図。
【図３】図３は、図２の圧縮したブラシ材のB‐B’方向平面図。
【図４】図４は、図３のブラシ材中心部を超音波溶着した平面図。
【図５】図５は、図４のブラシ材中心部と、外周を切断した平面図。
【図６】図６は、図７の回転軸の挿通穴を設けた回転軸挿入軸の拡大斜視図。
【図７】図７は、図６の回転軸挿入軸の挿通穴を挿通させる回転軸拡大斜視図。
【図８】図８は、 図５のブラシ材を柄部に取り付けた柄部先端部側面図。
【図９】図９は、図８のC‐C’部分横中央断面拡大図。
【図１０】図１０は、図８のD‐D’方向拡大側面図。
【図１１】図１１は、図８のE‐E’方向中央断面拡大図。本発明の実施例２の図１２から１７について説明する。
【００６１】
【図１２】図１２は、図４のブラシ材の中央部と外周を切断した平面図。
【図１３】図１３は、図１２のブラシ材を回転軸に取り付けた側面図。
【図１４】図１４は、図１３のブラシ材を柄部に取り付けた先端側面図。
【図１５】図１５は、図１４のF‐F’部分の横中央断面拡大図。
【図１６】図１６は、図１４のG‐G’方向正面拡大図。
【図１７】図１７は、図１４のH‐H’方向断面拡大図。
【図１８】図１８は、図４のブラシ材の中央部と外周を切断した平面図。
【図１９】図１９は、図１８のブラシ材を柄部に取り付けた先端側面図。
【図２０】図２０は、図１９のJ‐J’部分の横中央断面拡大図。
【００６２】
図２１から２３は、参考図である。
【図２１】図２１は、他の異なる回転軸挿入軸の参考斜視図である。
【図２２】図２２は、他の異なる回転軸挿入軸の参考斜視図である。
【図２３】図２３は、図２２及び２３の回転軸の参考斜視図である。
【符号の説明】
【００６３】
ブラシ材       １                                      
ブラシ部       ２、２ａ, 2 b
歯車形状       ３
四角形状       ４                                      
六角形状       ５,  ５ａ、５ｂ                                      
溶着部         ６                                      
開口部         ７                                      
回転軸挿入軸   ８                                      
回転軸         ９                                      
穴             １０, １０ａ,１０ｂ                                      
装着部         １１，                                          
先端部         １２、１２ａ                                  
柄部           １３                                        
カイド板       １４                                              
針金           １５                                            
毛             １６                                            
ヮッシャー     １７
ストッパー     １８                                            
方向          Ａ-Ａ’,  B-B’,  C-C’,  Ｄ−Ｄ’  Ｅ−Ｅ’，Ｆ−Ｆ’、Ｇ−Ｇ‘，  
Ｈ−Ｈ’Ｊ−Ｊ‘，Ｋ−Ｋ’，Ｌ−Ｌ’
【図１】
2012232050.tif 000003
【図２】
2012232050.tif 000004
【図３】
2012232050.tif 000005
【図４】
2012232050.tif 000006
【図５】
2012232050.tif 000007
【図６】
2012232050.tif 000008
【図７】
2012232050.tif 000009
【図８】
2012232050.tif 000010
【図９】
2012232050.tif 000011
【図１０】
2012232050.tif 000012
【図１１】
2012232050.tif 000013
【図１２】
2012232050.tif 000014
【図１３】
2012232050.tif 000015
【図１４】
2012232050.tif 000016
【図１５】
2012232050.tif 000017
【図１６】
2012232050.tif 000018
【図１７】
2012232050.tif 000019
【図１８】
2012232050.tif 000020
【図１９】
2012232050.tif 000021
【図２０】
2012232050.tif 000022
【図２１】
2012232050.tif 000023
【図２２】
2012232050.tif 000024
【図２３】
2012232050.tif 000025
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
柄部に設けた回転軸にブラシ材を、その回転軸挿入軸を嵌めて取り付け、かつ前記回転軸挿入軸の回転をガイドするガイド板を前記柄部に設けてなり、前記回転軸と回転軸挿入軸とガイド板との間の摩擦抵抗を可変可能とするために、
ガイド板と回転軸挿入軸との間、回転軸挿入軸と回転軸との間、またはガイド板と回転軸挿入軸と回転軸との間は、回転可能な範囲できつく設けられており、歯磨き時一定の摩擦抵抗を超えた場合、前記回転軸挿入軸、または、回転軸挿入軸と回転軸を回転可能に構成としたことを特徴とする歯ブラシ。
【請求項２】
柄部に設けた回転軸にブラシ材をその回転軸挿通穴において取り付け、前記回転軸とブラシ材の回転軸挿通穴との間の摩擦抵抗を可変可能とするために回転軸と回転軸挿入軸との間は、回転可能な範囲できつく設けられており、歯磨き時一定の摩擦抵抗を超えた場合、前記回転挿入軸を回転可能に構成としたことを特徴とする歯ブラシ。
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
柄部に設けた回転軸にブラシ材を、その回転軸挿入軸を嵌めて取り付け、かつ前記回転軸挿入軸の回転をガイドするガイド板を前記柄部に設けてなり、前記回転軸挿入軸とガイド板との間の摩擦抵抗を可変可能とするために、回転軸挿入軸を柄部装着したとき、多角形状に設けられている前記回転挿入軸が、ガイド板下部の半円形状部分により、歯磨き時一定の摩擦抵抗を超えた場合、回転可能と成るよう支持され,回転軸挿入軸に設けられている穴に回転軸を挿通して柄部に装着されており、歯磨き時一定の摩擦抵抗を超えた場合、前記回転軸挿入軸を回転可能に構成としたことを特徴とする歯ブラシ。
【請求項２】
柄部に設けた回転軸にブラシ材をその回転軸挿入軸の穴において取り付け、前記回転軸とブラシ材の回転軸挿入軸の穴との間の摩擦抵抗を可変可能とするために回転軸と回転軸挿入軸との間は、回転可能な範囲できつく設けられており、歯磨き時一定の摩擦抵抗を超えた場合、前記回転挿入軸を回転可能に構成としたことを特徴とする歯ブラシ。
【請求項３】
前記ブラシ材は回転軸挿入軸に異なる回転角度で取り付けられていることを特徴とする請求項2記載の歯ブラシ。
【請求項４】
前記ブラシ材は回転軸挿入軸に同一の回転角度で取り付けられていることを特徴とする請求項2記載の歯ブラシ。